(57)【要約】【課題】  外壁の梁の貫通部における開口の閉塞が簡易になし得る梁の貫通部構造を提供する。【解決手段】 外壁における梁２の貫通部構造Ｋであって、梁２の貫通部に水平開閉式シャッター機構３０を備えてなるもので、水平開閉式シャッター機構３０が、外壁パネル１０をパネルフレーム２０に接合するアンカーナットＮにスライド可能に支持された、シャッターが閉の際にフランジ２ａ，２ｂを格納するフランジ格納溝４４を有するシャッター部材４０を備えてなるものである。  【選択図】  図１
2006299787.tif 000002
【特許請求の範囲】
【請求項１】
外壁における梁の貫通部構造であって、梁の貫通部に水平開閉式シャッター機構を備えてなることを特徴とする梁の貫通部構造。
【請求項２】
水平開閉式シャッター機構が、外壁パネルをパネルフレームに接合するアンカー部材にスライド可能に支持されたシャッター部材を備えてなることを特徴とする請求項１記載の梁の貫通部構造。
【請求項３】
シャッター部材が、シャッターが閉じられたときに梁の水平要素を格納する格納溝を有してなることを特徴とする請求項２記載の梁の貫通部構造。
【請求項４】
シャッター部材をベースに用いて開口部の仕舞がなされていることを特徴とする請求項２記載の梁の貫通部構造。
【請求項５】
仕舞が、開口部に充填材を充填することによりなされることを特徴とする請求項４記載の梁の貫通部構造。
【請求項６】
仕舞を外装する仕舞外装材を備えてなることを特徴とする請求項５記載の梁の貫通部構造。
【発明の詳細な説明】
【技術分野】
【０００１】
本発明は梁の貫通部構造に関する。さらに詳しくは、外壁における梁の貫通部構造に関する。
【背景技術】
【０００２】
従来より、戸建住宅や集合住宅においては、建屋の外周にバルコニーや廊下を設けるため、梁の端部を外壁を貫通させて建屋外に突出させることがなされている。この梁が外壁を貫通する箇所においては、鉄骨や外壁パネルに製作誤差や施工誤差が生じても梁の貫通に支障のないよう、図１２および図１３に示すように、相当の裕度を設けて開口１００が形成されている。
【０００３】
そのため、梁１１０を貫通させた後にこの開口１００を塞ぐ必要が生じている。この開口１００の閉塞は、従来、開口１００周縁と梁１１０とを利用してラスを張り、そのラスを利用してモルタルを塗ったり、あるいはロックウールを詰めたりすることによりなされている。
【０００４】
しかしながら、かかる閉塞手法は、作業工数および工種の増加、それによる職種の増加、ならびに工期の長期化およびコストの上昇を招来しているという問題がある。とりわけ、集合住宅においては、梁１１０が外壁Ｗを貫通する箇所が多いところから、この問題は顕著なものとなっている。
【発明の開示】
【発明が解決しようとする課題】
【０００５】
本発明はかかる従来技術の課題に鑑みなされたものであって、外壁の梁の貫通部における開口の閉塞が簡易になし得る梁の貫通部構造を提供することを目的としている。
【課題を解決するための手段】
【０００６】
本発明の梁の貫通部構造は、外壁における梁の貫通部構造であって、梁の貫通部に水平開閉式シャッター機構を備えてなることを特徴とする。
【０００７】
本発明の梁の貫通部構造においては、水平開閉式シャッター機構が、外壁パネルをパネルフレームに接合するアンカー部材にスライド可能に支持されたシャッター部材を備えてなるのが好ましい。
【０００８】
また、本発明の梁の貫通部構造においては、シャッター部材が、シャッターが閉じられたときに梁の水平要素を格納する格納溝を有してなるのが好ましい。
【０００９】
さらに、本発明の梁の貫通部構造においては、シャッター部材をベースに用いて開口部の仕舞、例えば充填材の充填がなされるのが好ましい。その場合、仕舞を外装する仕舞外装材を備えてなるのがさらに好ましい。
【発明の効果】
【００１０】
本発明によれば、外壁パネルの据付後にシャッターを閉じるという簡易な作業により、外壁における梁の貫通部の閉塞がなし得るという優れた効果が得られる。また、本発明の好ましい形態によれば、シャッター部材をベースに用いて梁の貫通部における外壁の仕様に応じた仕舞がなし得るという優れた効果が得られる。
【発明を実施するための最良の形態】
【００１１】
以下、添付図面を参照しながら本発明を実施形態に基づいて説明するが、本発明はかかる実施形態のみに限定されるものではない。
【００１２】
実施形態１
本発明の実施形態１に係る梁の貫通部構造（以下、単に貫通部構造という）を図１および図２に示す。なお、この実施形態では梁はＨ型鋼とされている。
【００１３】
貫通部構造Ｋは、図１および図２に示すように、開口部１が形成された外壁パネル１０と、そのパネル１０を支持するパネルフレーム２０との間に、開口部１を閉塞する水平開閉式シャッター機構３０を備えてなるものとされる。
【００１４】
このシャッター機構３０は、具体的には、左右対称とされて開口部１に梁２を挟んで対向配置された一対のシャッター部材４０Ｒ，４０Ｌを備えてなるものとされる。
【００１５】
図３に、右側シャッター部材４０Ｒを斜視図で示す。なお、左側シャッター部材４０Ｌは、右側シャッター部材４０Ｒと左右対称とされているので、その図示説明は省略する。
【００１６】
右側シャッター部材４０Ｒは、図３に示すように、平板状のシャッター本体４１と、シャッター本体４１の梁側端部を外方（外壁パネル１０側）に起立させてなる接合部４２とを備えてなるものとされる。ここで、シャッター部材４０の素材としては、一般的には鋼板とされるが、耐火構造が必要とされる箇所でなければ、プラスチック板やアクリル樹脂板とすることもできる。
【００１７】
シャッター本体４１には、外壁パネル１０をパネルフレーム２０に接合するアンカーナット（アンカー部材）（図４参照）Ｎに嵌装されシャッター本体４１をアンカーナットＮに水平スライド可能に支持させる所要数（図示例では２個）の長孔４３と、シャッターが閉じられたときに梁２の右側の上下フランジ（水平要素）２ａ，２ｂを格納するフランジ格納溝４４とが設けられている。
【００１８】
接合部４２には、このフランジ格納溝４４と連通させられているフランジ進入切欠４５と、梁２の外方つまり上フランジ２ａの上方および下フランジ２ｂの下方にボルト挿通孔４６とが設けられている。
【００１９】
次に、図１、図２および図５を参照しながら、かかる構成とされているシャッター機構３０を備えた貫通部構造Ｋによる梁２の貫通部の閉塞について説明する。
【００２０】
手順１：シャッターを開とした状態、つまり右側および左側シャッター部材４０Ｒ，４０Ｌを外壁パネル１０背後に後退させた状態で外壁パネル１０を据え付ける（図１参照）。
【００２１】
手順２：外壁パネル１０の据付完了後、シャッターを閉じ、つまり右側および左側シャッター部材４０Ｒ，４０Ｌを図１の矢符の方向にそれぞれスライドさせ、ついで両接合部４２，４２をボルト・ナット留めにて接合する（図２参照）。この場合、シャッターは気密性を要求されないため、両接合部４２，４２は当接させられる必要はない。つまり、隙間があいていてもよい。
【００２２】
手順３：シャッター部材４０Ｒ，４０Ｌをベースに用いて開口部１の仕舞を行う。例えば、シャッター部材４０Ｒ，４０Ｌをベースに用いてロックウールやウレタンなどの充填材Ｂを開口部１に充填する（図５参照）。なお、耐火構造や防音構造が要求される箇所であれば、例えば、シャッター部材４０Ｒ，４０Ｌにアンカーを設けてモルタルを塗り込む。また、見え掛かり等の外観の見栄えが要求される箇所であれば、モルタルの上にさらにタイルを貼るようにしてもよい。
【００２３】
このように、この実施形態１によれば、外壁の開口部１に水平開閉式シャッター機構３０を設けてシャッターを閉じるという簡易な作業により梁２の貫通部の閉塞がなし得る。そのため、梁２の貫通部における閉塞作業に特段の職種を必要としない。また、梁２の貫通部における外壁の仕様に応じて、シャッター部材４０をベースに用いてロックウールやウレタンを開口部１に充填したり、モルタルの塗り込みをしたりすることができるので、開口部１の仕舞の際に下地材の敷設をなす必要がない。そのため、工期の短縮およびコストの低減が図られる。
【００２４】
実施形態２
本発明の実施形態２に係る貫通部構造を図６および７に示す。実施形態２は、実施形態１のシャッター機構３０を改変してなるものであるが、実施形態２では、図７に示すように、外壁パネル１０の開口部１Ａは周囲が閉じた矩形孔とされる。実施形態２のその余の構成は実施形態１と同様であるために、その詳細説明は省略する。
【００２５】
図６に、実施形態２の貫通部構造Ｋ１の水平断面図を示す。なお、同図（ａ）は、梁２上方における水平断面図（図１０のＭ−Ｍ線断面図）であり、同図（ｂ）は、梁２を含む水平断面図（図１０のＮ−Ｎ線断面図）である。
【００２６】
貫通部構造Ｋ１は、図６に示すように、水平開閉式シャッター機構３０Ａのシャッター部材５０が、このシャッター部材５０をベースになされる仕舞を外装するための仕舞外装材６０の取付部５３を有してなるものとされる。
【００２７】
ここで、シャッター機構３０Ａにおいては、仕舞外装材６０を外壁パネル１０Ａに係止するための係止部材６１が開口部１Ａに設けられるものとされる。係止部材６１は、爪部６１ａを開口部１Ａの外方に向けて取り付けられるものとされる。
【００２８】
図８に、右側シャッター部材５０Ｒを斜視図で示す。なお、左側シャッター部材５０Ｌは、右側シャッター部材５０Ｒと左右対称とされているので、その図示説明は省略する。
【００２９】
右側シャッター部材５０Ｒは、図８に示すように、平板状のシャッター本体５１と、シャッター本体５１の梁側端部を外方（外壁パネル１０Ａ側）に起立させてなる接合部５２と、接合部５２の外方端部をパネル側に戻すように起立させてなる取付部５３とを備えてなるものとされる。
【００３０】
ここで、シャッター部材５０の素材としては、一般的には鋼板とされるが、耐火構造が必要とされる箇所でなければ、プラスチック板やアクリル樹脂板とすることもできる。
【００３１】
シャッター本体５１には、外壁パネル１０をパネルフレーム２０に接合するアンカーナット（アンカー部材）（図４参照）Ｎに嵌装されシャッター本体５１をアンカーナットＮに水平スライド可能に支持させる所要数（図示例では２個）の長孔５４と、シャッターが閉じられたときに梁２の右側の上下フランジ（水平要素）２ａ，２ｂを格納するフランジ格納溝５５とが設けられている。
【００３２】
接合部５２には、このフランジ格納溝５５と連通させられているフランジ進入切欠５６と、梁２の外方つまり上フランジ２ａの上方および下フランジ２ｂの下方にボルト挿通孔５７とが設けられている。
【００３３】
取付部５３には、フランジ進入切欠５６の延長であるフランジ進入切欠延長部５８が設けられている。
【００３４】
次に、仕舞外装材６０を説明する。仕舞外装材６０は、図６および図１０に示すように、アルミ合金板材からなる外装材本体６２と、本体６２の裏面に設けられ前記係止部材６１の爪部６１ａと係合する爪係合部６３と、本体６２の梁側端部に設けられシャッター部材５０の取付部５３と接合される接合部６４とを有する。
【００３５】
次に、かかる構成とされているシャッター機構３０Ａを備えた貫通部構造Ｋ１による梁２の貫通部の閉塞および仕舞について説明する。
【００３６】
手順１１：シャッターを開とした状態、つまり右側および左側シャッター部材５０Ｒ，５０Ｌを外壁パネル１０背後に後退させた状態で外壁パネル１０Ａを据え付ける（図９（ａ）参照）。
【００３７】
手順１２：外壁パネル１０Ａの据付完了後、シャッターを閉じ、つまり右側および左側シャッター部材５０Ｒ，５０Ｌを図９（ａ）、（ｂ）の矢符の方向にそれぞれスライドさせ、ついで両接合部５２，５２をボルト・ナット留めにて接合する（図９（ｂ）、（ｃ）参照）。この場合、シャッターは気密性を要求されないため、両接合部５２，５２は当接させられる必要はない。つまり、隙間があいていてもよい。
【００３８】
図１０に、この時点における貫通部構造Ｋ１の正面図を示す。
【００３９】
手順１３：シャッター部材５０Ｒ，５０Ｌをベースに用いて開口部１Ａの仕舞を行う。例えば、シャッター部材５０Ｒ，５０Ｌをベースに用いてロックウールやウレタンなどの充填材Ｂ１（図９（ｄ）参照）を開口部１Ａに充填する。なお、耐火構造や防音構造が要求される箇所であれば、例えば、シャッター部材５０Ｒ，５０Ｌにアンカーを設けてモルタルを塗り込む。
【００４０】
手順１４：係止部材６１の爪部６１ａに仕舞外装材６０の爪係合部６３を係合させるように、外壁パネル１０の外側面に仕舞外装材６０を沿わせながらスライドさせる（図９（ｄ）、（ｅ）参照）。
【００４１】
手順１５：前記爪部６１ａに爪係合部６３を係合させた状態で、シャッター部材５０の取付部５３に仕舞外装材６０の接合部６３を例えばビス止めにより固定する（図９（ｅ）参照）。
【００４２】
手順１６：図６に示すように、仕舞外装材６０と外壁パネル１０Ａの間隙と、右左の仕舞外装材６０Ｒ，６０Ｌの接合部分と、右左の仕舞外装材６０Ｒ，６０Ｌと梁２との接合部分とをシーリング材Ｃによりシーリングする。
【００４３】
図１１に、この時点における貫通部構造Ｋ１の正面図を示す。
【００４４】
このように、実施形態２の貫通部構造Ｋ１では、シャッター機構３０Ａのシャッター部材５０に、例えばアルミ合金板材からなる仕舞外装材６０の取付部５３を設けるものとしたので、仕舞外装材６０を工場生産による規格化された部材とすることにより、シャッター部材のみならず見え掛かりの箇所に適用される部材についても品質のバラツキを排除することができ、外壁の梁貫通部において所望の品質を確保することが容易となる。
【００４５】
ここで、仕舞外装材６０は、シャッター部材５０の取付部５３に取り付けられるものとされているために、仕舞外装材６０をシャッター部材５０とともにパネルフレーム２０を基準に施工することが可能となる。したがって、建物の構造躯体を基準に取り付ける場合のように、構造躯体とパネルフレーム２０との間の施工誤差の影響を受けることがなく、より高い品質の施工が可能となる。
【００４６】
また、仕舞外装材６０をアルミ合金板材とすることによって、意匠上の自由度が大きくなるとともに仕舞外装材６０の取付まではパネル工作業員により仕舞を実施することが可能となる。このため、職種の増大を避けることが可能となる。なお、仕舞外装材６０を取り付けた後のシーリングについては、外壁目地等のシーリングを行うのと同時に施工することが可能であるために、職種の増大を避けることは容易である。
【産業上の利用可能性】
【００４７】
本発明は、梁が外壁パネルから貫通している箇所の閉塞に適用できる。
【図面の簡単な説明】
【００４８】
【図１】本発明の実施形態１に係る梁の貫通部構造の概略図であって、シャッターが開の状態を示す。
【図２】同貫通部構造の概略図あって、シャッターが閉の状態を示す。
【図３】同貫通部構造のシャッター機構の右側シャッター部材の斜視図である。
【図４】同右側シャッター部材を外壁パネルとパネルフレームとの間にセットした状態の平面図である。
【図５】仕舞がなされた開口部の概略平面図である。
【図６】本発明の実施形態２の貫通部構造の概略図であって、シャッターが閉の状態を示す。
【図７】同貫通部構造が設けられる外壁パネルの正面図である。
【図８】同貫通部構造のシャッター機構の右側シャッター部材の斜視図である。
【図９】同貫通部構造の閉塞および仕舞の手順を示す説明図である。
【図１０】同貫通部構造のシャッター機構が閉じられたときの正面図である。
【図１１】同貫通部構造の仕舞がなされたときの正面図である。
【図１２】従来の梁の貫通部の正面図である。
【図１３】同背面図である。
【符号の説明】
【００４９】
１      開口部
２      梁
２ａ      上フランジ
２ｂ      下フランジ
１０      外壁パネル
２０      パネルフレーム
３０      水平開閉式シャッター機構
４０、５０      シャッター部材
４１、５１      シャッター本体
４２、５２      接合部
５３      取付部
４３、５４      長孔
４４、５５      フランジ格納溝
４５、５６      フランジ進入切欠
５８      フランジ進入切欠延長部
Ｂ      充填材
Ｃ      シーリング材
Ｋ      梁の貫通部構造
Ｎ      アンカーナット
【図１】
2006299787.tif 000003
【図２】
2006299787.tif 000004
【図３】
2006299787.tif 000005
【図４】
2006299787.tif 000006
【図５】
2006299787.tif 000007
【図６】
2006299787.tif 000008
【図７】
2006299787.tif 000009
【図８】
2006299787.tif 000010
【図９】
2006299787.tif 000011
【図１０】
2006299787.tif 000012
【図１１】
2006299787.tif 000013
【図１２】
2006299787.tif 000014
【図１３】
2006299787.tif 000015